(57)【要約】【課題】  従来のパチスロ機では、集音効果が低下することがあった。【解決手段】  上部装飾ランプカバー２１で覆われる前面ドア１の上部の幅方向中央部には、マイク基板２４が取り付けられている。マイク基板２４は、前面ドア１の上部にあるエンブレム２６の後方に位置して、前面ドア１に取り付けられている。マイク基板２４の前端側には円形のマイク取付孔が設けられており、このマイク取付孔には環境マイク２５が嵌め込まれる。マイク基板２４の後方の前面ドア１の上部にはＬＥＤ基板２８が設けられている。ＬＥＤ基板２８には複数のＬＥＤ２８ａが光源として設けられており、遊技状態に応じて点灯制御される。【選択図】  図７
2007202624.tif 000002
【特許請求の範囲】
【請求項１】
遊技に用いられる機器を収納する筐体と、
この筐体の上部前面に設けられ、内部に備えた光源、およびこの光源の前面に設けられて前記光源から発せられる光を透過するレンズカバーから構成される照明装置と、
前記レンズカバーの後方の前記照明装置内に設けられて、前記レンズカバーに形成された集音用の孔を介して前記筐体の周囲の音を集音する環境マイクとを備えていることを特徴とする遊技機。
【発明の詳細な説明】
【技術分野】
【０００１】
本発明は、筐体周囲の音を集音する環境マイクを備える遊技機に関するものである。
【背景技術】
【０００２】
従来、このような遊技機としては、例えば、リールの回転を遊技者の操作に応じて停止させるスロットマシンで、いわゆるパチスロ機と称される下記の特許文献１に開示されたものがある。このパチスロ機では、遊技媒体であるメダルが遊技に賭けられてスタートレバーが操作されると、複数の役の中から当選役が決定され、続いて複数列に配列されたリールが回転を開始する。各リールに対応して設けられた停止ボタンが操作されると、その操作タイミングと当選役とに応じてリールの回転が停止する。この際、各リールの外周面に表されたシンボルの組合せが、当選役に対応する組合せであるときは、メダルの払い出しが行われる。また、ボーナスといった特定の当選役に係る特定の図柄組合せが停止表示して入賞が成立すると、ボーナス遊技といった遊技者に有利な遊技状態に遊技が移行する。
【０００３】
遊技に用いられるリールや制御基板等の機器を収納している筐体前面には、前面ドアが開閉自在に取り付けられている。この前面ドアにおけるリール表示窓を有する表示領域の両サイドには、パチスロ機の周囲音をピックアップするための集音マイクが配置されている。集音マイクでピックアップされた音は、筐体に設けられたスピーカから発せられる効果音を制御するために用いられる。
【特許文献１】特開２００５−１６８７３６号公報（段落［００１２］，［００１３］，図１参照）
【発明の開示】
【発明が解決しようとする課題】
【０００４】
上記従来のパチスロ機では、リール表示窓を有する表示領域の両サイドに集音マイクが配置されていることから、パチスロ機の筐体の近くに立っている遊技者から発せられる音声等、筐体の上方における環境音を十分に集音することができない。このため、従来の集音マイクによっては、筐体外部の音を十分に識別することができず、集音効果が低下することがあった。
【課題を解決するための手段】
【０００５】
本発明はこのような課題を解決するためになされたもので、遊技に用いられる機器を収納する筐体と、この筐体の上部前面に設けられ、内部に備えた光源、および光源の前面に設けられて光源から発せられる光を透過するレンズカバーから構成される照明装置と、レンズカバーの後方の照明装置内に設けられて、レンズカバーに形成された集音用の孔を介して筐体の周囲の音を集音する環境マイクとを備えていることを特徴とする。
【０００６】
この構成によれば、筐体上部に設けられた照明装置のレンズカバーの後方に環境マイクが備えられ、レンズカバーに集音用の孔が形成されているので、筐体の上方で発せられた音を環境マイクで識別しやすくなる。このため、筐体の近くに立っている遊技者から発せられる音声等、筐体の上方における環境音を十分に集音して集音効果を向上させ、筐体外部の音を十分に識別することができるようになる。また、照明装置内部に環境マイクが備えられているので、環境マイクをレンズカバーで保護することができる。また、光源から発せられる光がレンズカバーで拡散され、照明効果を向上させることもできる。
【発明の効果】
【０００７】
このような本発明によれば、上記のように、筐体の上方における環境音を十分に集音して集音効果を向上させ、筐体外部の音を十分に識別することができるようになる。
【発明を実施するための最良の形態】
【０００８】
次に、本発明を実施するための最良の形態について説明する。
【０００９】
図１は本実施形態によるパチスロ機の前面ドア１の外観を示す正面図、図２は前面ドア１の外観を示す一部分解斜視図、図３は腰部ガラスケース３や貯留メダル精算ボタン１６、スタートレバー１７、および停止ボタン１８ａ〜１８ｃが取り外された状態の前面ドア１を示す正面図、図４は前面ドア１の背面図、図５はミドルドア１０１が取り付けられた状態の前面ドア１を示す背面図である。なお、これら各図において、同一または相当する部分には、同一符号を付している。
【００１０】
前面ドア１は、パチスロ機の図示しない筐体の前面開口を塞ぐ扉体であり、筐体の前面の一側に片側が開閉自在に軸支される。筐体には、パチスロ機による遊技動作を制御する制御回路が構成された制御基板をはじめ、遊技に用いられる各種機器が収納されている。
【００１１】
図１に示すように、前面ドア１の中央部の上側には大型の液晶表示装置１１が設けられている。液晶表示装置１１の表示画面には３個のサブリールが表示され、各サブリール毎にシンボルがそれぞれ３個ずつ表わされる。液晶表示装置１１の下方右側には、遊技者が遊技媒体であるメダルを入れるための投入口１２が設けられている。
【００１２】
液晶表示装置１１の下方の前面ドア１中央部にはミニリール表示窓部１３が設けられている。ミニリール表示窓部１３の背後の筐体内部には回転自在に３個のミニリール７５ａ〜７５ｃがメインリールとして設けられている。各ミニリール７５ａ〜７５ｃの外周面には複数種類の図柄（以下、シンボルという）から成るシンボル列が描かれている。ミニリール表示窓部１３に形成された図示しない３個の表示窓を通して、各ミニリール７５ａ〜７５ｃの外周面に描かれたシンボルがそれぞれ３個ずつ観察される。ミニリール表示窓部１３およびミニリール７５ａ〜７５ｃは、筐体前面中央部で図柄を変動表示する図柄表示手段を構成している。ミニリール表示窓部１３の左側には、１貯留メダル投入スイッチ１４ａ、３貯留メダル投入スイッチ１４ｂ、選択ボタン１５ａ、および決定ボタン１５ｂが設けられている。貯留メダル投入スイッチ１４ａ，１４ｂは、メダルがクレジットされている際にメダル投入口１２へのメダル投入に代えて１回のゲームに１枚，３枚のメダルを賭ける際に使用される。選択ボタン１５ａは、液晶表示装置１１における表示項目の選択に用いられる。決定ボタン１５ｂは、選択ボタン１５ａで選択された液晶表示装置１１における表示項目の決定に用いられる。
【００１３】
また、ミニリール表示窓部１３の下方には、左側から、貯留メダル精算ボタン１６、スタートレバー１７、および停止ボタン１８ａ〜１８ｃが設けられている。貯留メダル精算ボタン１６は機械内部にクレジットされているメダルを精算する際に使用される。スタートレバー１７の操作により、液晶表示装置１１に表示されるサブリールおよびミニリール表示窓部１３のメインリールであるミニリール７５ａ〜７５ｃの回転が一斉に開始する。停止ボタン１８ａ〜１８ｃは、ミニリール７５ａ〜７５ｃに対応して配置されており、これらミニリール７５ａ〜７５ｃの回転が一定速度に達したとき操作が有効化され、遊技者の操作に応じてミニリール７５ａ〜７５ｃの回転を停止する。
【００１４】
上記の各スイッチ（１貯留メダル投入スイッチ１４ａ、３貯留メダル投入スイッチ１４ｂ）、各ボタン（選択ボタン１５ａ、および決定ボタン１５ｂ、貯留メダル精算ボタン１６、および停止ボタン１８ａ〜１８ｃ）、スタートレバー１７、メダル投入口１２、およびミニリール表示窓部１３は、操作を検知するスイッチや駆動回路が一体化されたユニットとして、図３に示すドアベース１ａに取り付けられ、前面ドア１を構成している。
【００１５】
また、前面ドア１の正面下部には腰部ガラスケース３が設けられており、この腰部ガラスケース３の下方にはメダル受皿１９が設けられている。メダル受皿１９はメダル払出口１９ａから払い出されるメダルを貯めるものである。
【００１６】
図２に示すように、前面ドア１の正面上部には、図示しない上部装飾ランプを覆う上部装飾ランプカバー２１が取り付けられている。上部装飾ランプカバー２１の下縁の幅方向中央部には、集音孔２１ａが形成されている。上部装飾ランプカバー２１の下方には、下部装飾ランプカバー２７が設けられている。上部装飾ランプカバー２１と下部装飾ランプカバー２７とで挟まれる前面ドア１の幅方向中央部には、エンブレム２６が設けられている。エンブレム２６は、透光性を有している。また、上部装飾ランプカバー２１の両側方には、スピーカカバー２２，２２が設けられている。上部装飾ランプカバー２１、スピーカカバー２２，２２、および下部装飾ランプカバー２７とで挟まれる前面ドア１の前面には、ハーフミラーから構成されている光透過部１ｂが、エンブレム２６を中心とするＸ字状に設けられている。
【００１７】
図６は上部装飾ランプカバー２１の左側に取り付けられるスピーカカバー２２の斜視図である。
【００１８】
スピーカカバー２２は、図６に示すように、縦方向に延びる複数の棒状体と横方向に延びる複数の棒状体２２ｂとが格子状に交わる形状を有しており、横方向に延びる各棒状体２２ｂはきれいな弧を描く形状を有している。また、スピーカカバー２２には、スピーカ２２ｂ（図２参照）から出力される音が放音される放音口２２ａが形成されている。図２に示すように、各スピーカカバー２２の後方の前面ドア１の上部にはＬＥＤ２２ｃが取り付けられており、各ＬＥＤ２２ｃは遊技状態に応じて点灯制御される。上部装飾ランプカバー１２の右側に取り付けられるスピーカカバー２２も、上部装飾ランプカバー１２の左側に取り付けられるスピーカカバー２２と同様の構成を有している。
【００１９】
前面ドア１の前面の両側部には、側部装飾ランプを覆うサイドレンズカバー２３が取り付けられている。また、図５に示すように、前面ドア１の背面にはヒンジで前面ドア１に支えられて開閉するミドルドア１０１が取り付けられている。ミドルドア１０１には、３個のミニリール７５ａ〜７５ｃが一体化されたミニリールユニット等が取り付けられている。
【００２０】
図７は上部装飾ランプカバー２１を取り外した前面ドア１を左上方から見た斜視図である。
【００２１】
同図に示すように、上部装飾ランプカバー２１で覆われる前面ドア１の上部の幅方向中央部には、マイク基板２４が取り付けられている。マイク基板２４は、前面ドア１の上部にあるエンブレム２６の後方に位置して、前面ドア１に取り付けられている。マイク基板２４の前端側には円形のマイク取付孔が設けられており、このマイク取付孔には環境マイク２５が嵌め込まれている。マイク基板２４の後方の前面ドア１の上部には、上部装飾ランプを構成するＬＥＤ基板２８が設けられている。ＬＥＤ基板２８には複数のＬＥＤ２８ａが内部光源として設けられており、遊技状態に応じて点灯制御される。ＬＥＤ基板２８に設けられたＬＥＤ２８ａ、およびこのＬＥＤ２８ａの前面に設けられてＬＥＤ２８ａから発せられる光を透過する上部装飾レンズカバー２１は、筐体の上部前面に設けられた照明装置を構成している。環境マイク２５は、上部装飾レンズカバー２１の後方の照明装置内に設けられて、上部装飾レンズカバー２１に形成された集音孔２１ａを介して筐体の周囲の音を集音する。また、光透過部１ｂがハーフミラーから形成されており、エンブレム２６が透光性を有することから、ＬＥＤ２８ａから発せられた光は光透過部１ｂを透過して外部からＸ字状に視認され、インパクトのある照明にすることができる。
【００２２】
図８は腰部ガラスケース３の正面図、図９は腰部ガラスケース３の背面図、図１０は腰部ガラスケース３を後方から見た斜視図である。
【００２３】
腰部ガラスケース３は、図８に示すように、上辺の幅方向中央部が上方に湾曲した略四角枠状を有しており、背面に腰部ガラス４が取り付けられて一体化されて構成され、前面ドア１のドアベース１ａの腰部に取り付けられる。腰部ガラスケース３は、下辺の両端部にそれぞれ１個の下辺フック３１、両側辺の上端部にそれぞれ１個の側辺フック３２、上辺の中央部の両側寄りにそれぞれ１個の取付孔３３を備える。下辺フック３１は、下辺の後縁部から後方に延びており、略Ｌ字状の形状を有している。側辺フック３２は、両側辺の裏面から後方に延びており、先端部の上面には突起が設けられている。また、腰部ガラスケース３の上辺の前面の両側部には、それぞれ１個の腰部レンズガラスケース５１が取り付けられている。また、腰部ガラスケース３の上辺の前面の両側部には、それぞれ２個の透過孔３５が形成されている。各透過孔３５は、腰部レンズガラスケース５１により前側を覆われている。
【００２４】
前面ドア１のドアベース１ａの腰部下方には、図３に示すように、下辺フック３１が嵌め込まれる一対の嵌込孔６１、腰部上方には、側辺フック３２が係止する一対の係止孔６２、後述するスナップラッチ７が差し込まれる一対の差込孔６３が形成されている。また、図３および図５に示すように、前面ドア１のドアベース１ａの腰部前面には、２個のＬＥＤ６４ａが実装された一対のＬＥＤ基板６４が取り付けられており、腰部ガラスケース３には、図４に示すように、ＬＥＤ基板６４の各ＬＥＤ６４ａが前面から視認される位置に透過孔３５が形成されている。ＬＥＤ６４ａから発せられた光は透過孔３５を通して腰部レンズガラスケース５１を透過し、腰部ガラスケース３の前方から視認される。
【００２５】
また、前面ドア１のミニリール表示窓部１３の両側の中央部レンズガラスケース５２により覆われる部分には、図４に示すように、それぞれ２個の透過孔８が設けられている。前面ドア１ドアベース１ａのの中央部レンズガラスケース５２により覆われる部分の背後には、図６に示すように、それぞれＬＥＤ基板９が取り付けられている。ＬＥＤ基板９には、それぞれ２個のＬＥＤ９１が実装されており、ＬＥＤ基板９の各ＬＥＤ９１が背後から視認される位置に透過孔８が形成されている。ＬＥＤ９１から発せられた光は透過孔８を通して中央部レンズガラスケース５２を透過し、前面ドア１の前方から視認される。
【００２６】
図１１は腰部ガラスケース３を前面ドア１に固定するスナップラッチ７の斜視図である。
【００２７】
スナップラッチ７は、前面ドア１の背後から差込孔６３に、その先端７１側から差し込まれ、下辺フック３１および側辺フック３２により前面ドア１に取り付けられた腰部ガラスケース３を、前面ドア１に固定する。スナップラッチ７は、先端部７１の後側に設けられた括れ部分７２に、腰部ガラスケース３の取付孔３３および前面ドア１の差込孔６３が嵌め込まれる。スナップラッチ７の後端側には窄み部分７３が設けられており、スナップラッチ７が取付孔３３および差込孔６３に嵌め込まれる際に、この窄み部分７３が把持される。
【００２８】
本実施形態では、上記の各カバー（上部装飾ランプカバー２１、スピーカカバー２２、サイドレンズカバー２３、下部装飾ランプカバー２７）、および、腰部ガラスケース３がドアベース１ａに取り付けられて、前面ドア１を構成している。また、上記の各スイッチ（１貯留メダル投入スイッチ１４ａ、３貯留メダル投入スイッチ１４ｂ）、各ボタン（選択ボタン１５ａ、および決定ボタン１５ｂ、貯留メダル精算ボタン１６、および停止ボタン１８ａ〜１８ｃ）、スタートレバー１７、メダル投入口１２、およびミニリール表示窓部１３は、操作を検知するスイッチや駆動回路が一体化されたユニットとして、図３に示すドアベース１ａに取り付けられ、前面ドア１を構成している。このように、パチスロ機の機種変更の際の面替えに必要なパーツが全て前面ドア１に設けられているので、パチスロ機の外観変更を容易に行うことができる。
【００２９】
上述した本実施形態によるパチスロ機によれば、筐体上部、つまり、前面ドア１の上部に設けられた照明装置の上部装飾ランプカバー２１の後方に環境マイク２５が備えられ、上部装飾ランプカバー２１に集音孔２１ａが形成されているので、パチスロ機の筐体の上方で発せられた音を環境マイク２５で識別しやすくなる。このため、前面ドア１を備えるパチスロ機の筐体の近くに立っている遊技者から発せられる音声等、筐体の上方における環境音を十分に集音して集音効果を向上させ、筐体外部の音を十分に識別することができるようになる。また、照明装置内部に環境マイク２５が備えられているので、環境マイク２５を上部装飾ランプカバー２１で保護することができる。また、ＬＥＤ２８ａから発せられる光がハーフミラーから形成された光透過部１ｂで拡散されて、外部からＸ字状に視認され、インパクトのある照明にして照明効果を向上させることもできる。
【００３０】
なお、上記実施の形態では、上部装飾ランプカバー２１の下縁部を切り欠いて形成された１個の集音孔２１ａを備える場合について説明したが、集音孔２１ａの形状や大きさや数量は任意であり、例えば、上部装飾ランプカバー２１に円形の孔を複数形成して集音孔２１ａを構成してもよい。また、上部装飾ランプカバー２１の後方のパチスロ機の筐体上部に設けられているのであれば、環境マイク２５の前面ドア１への取付方法や取付位置も任意である。
【産業上の利用可能性】
【００３１】
上記実施形態においては、本発明による遊技機をパチスロ機に適用した場合について説明したが、筐体周囲の音を集音する環境マイクを備える他の遊技機に本発明を適用することも可能である。このような遊技機に本発明を適用した場合においても上記実施形態と同様な作用効果が奏される。
【図面の簡単な説明】
【００３２】
【図１】本実施形態によるパチスロ機の前面ドアの外観を示す正面図である。
【図２】図１に示す前面ドアの外観を示す一部分解斜視図である。
【図３】腰部ガラスケース３や貯留メダル精算ボタン、スタートレバー、および停止ボタンが取り外された状態の前面ドアを示す正面図である。
【図４】図１に示す前面ドアの背面図である。
【図５】ミドルドアが取り付けられた状態の図１に示す前面ドアを示す背面図である。
【図６】上部装飾ランプカバーの左側に取り付けられるスピーカカバーの斜視図である。
【図７】上部装飾ランプカバーを取り外した前面ドアを左上方から見た斜視図である。
【図８】図１に示す腰部ガラスケースの正面図である。
【図９】図８に示す腰部ガラスケースの背面図である。
【図１０】図８に示す腰部ガラスケースを後方から見た斜視図である。
【図１１】腰部ガラスケースを前面ドアに固定するスナップラッチの斜視図である。
【符号の説明】
【００３３】
１…前面ドア
２１…上部装飾ランプカバー
２４…マイク基板
２５…環境マイク
２６…エンブレム
２８…ＬＥＤ基板
２８ａ…ＬＥＤ
【図１】
2007202624.tif 000003
【図２】
2007202624.tif 000004
【図３】
2007202624.tif 000005
【図４】
2007202624.tif 000006
【図５】
2007202624.tif 000007
【図６】
2007202624.tif 000008
【図７】
2007202624.tif 000009
【図８】
2007202624.tif 000010
【図９】
2007202624.tif 000011
【図１０】
2007202624.tif 000012
【図１１】
2007202624.tif 000013